(57)【要約】【課題】暖房運転を継続させることによって、快適な温度を維持する運転を行うことができる空気調和機を提供することを目的としている。【解決手段】暖房運転時に、圧縮機、四方弁、室内熱交換器、膨張弁、室外熱交換器、四方弁の順に冷媒が流れるように接続した冷凍サイクルと、室内温度を検出する室内温度検出手段と、目標温度を設定する目標温度設定手段と、室外熱交換器と四方弁との間と、四方弁と圧縮機の吸入口との間を接続するバイパス回路と、前記バイパス回路内に三方弁と絞り機構を備えた空気調和機であって、室内温度検出手段が目標温度を上回った状態を所定の時間継続すると、蓄熱バイパス回路内の三方弁を動作することとした。【選択図】図４
2014031954.tif 000002
【特許請求の範囲】
【請求項１】
暖房運転時に、圧縮機、四方弁、室内熱交換器、膨張弁、室外熱交換器、四方弁の順に冷媒が流れるように接続した冷凍サイクル備えた空気調和機に関するものであり、室内温度を検出する室内温度検出手段と、目標温度を設定する目標温度設定手段と、室外熱交換器と四方弁との間と、四方弁と圧縮機の吸入口との間を接続する蓄熱バイパス回路と、蓄熱バイパス回路に三方弁と絞り機構をさらに設けるとともに、室内温度が目標温度を上回った状態を所定の時間継続すると、蓄熱バイパス回路内に冷媒が流れるように三方弁を開閉動作することを特徴とする空気調和機。
【請求項２】
室内温度が目標温度を上回った状態を所定の時間継続すると、前記三方弁を動作することを複数回繰り返すことを特徴とする請求項１に記載の空気調和機。
【請求項３】
前記三方弁を動作することの回数に上限回数を設けたことを特徴とする請求項２に記載の空気調和機。
【請求項４】
前記三方弁を動作する制御が、前記室内熱交換器の温度に基づいて行われることを特徴とした請求項１から３のいずれか１項に記載の空気調和機。
【請求項５】
前記圧縮機停止中、前記三方弁を動作する制御を行わないことを特徴とした請求項１から４のいずれか１項に記載の空気調和機。
【請求項６】
前記室外熱交換器の霜を除去する除霜運転実施中、前記三方弁を動作する制御を行わないことを特徴とした請求項１から５のいずれか１項に記載の空気調和機。
【請求項７】
前記三方弁を動作し膨張弁を動作する制御が行われた後、前記三方弁を動作する制御を所定の時間行わないことを特徴とした請求項１から６のいずれか１項に記載の空気調和機。
【請求項８】
蓄熱バイパス回路に冷媒加熱器を備えたことを特徴とする請求項１から７のいずれか１項に記載の空気調和機。
【請求項９】
前記冷媒加熱器は、前記圧縮機の熱を蓄熱する蓄熱材と、前記蓄熱材の内部に冷媒が流れる冷媒流路とで構成され、除霜条件が成立した場合に、膨張弁の開度を全開とし三方弁を動作して除霜運転を行う請求項１から８のいずれか１項に記載の空気調和機であって、前記除霜条件が成立した場合は、室内温度が目標温度を上回った状態であっても、前記三方弁を動作する制御を行わないことを特徴とする空気調和機。
【請求項１０】
前記蓄熱材の温度を検出する蓄熱材温度検出手段を備え、前記蓄熱材の温度が所定の温度よりも低い場合は、室内温度が目標温度を上回った状態が所定の時間継続しても、前記三方弁を動作する制御を行わないことを特徴とする請求項９に記載の空気調和機。
【請求項１１】
前記三方弁を動作する制御が、外気温度に基づいて行われることを特徴とした請求項９または請求項１０に記載の空気調和機。
【請求項１２】
前記三方弁を動作する制御が、前記室外熱交換器の温度に基づいて行われることを特徴とした請求項９から１１のいずれか１項に記載の空気調和機。
【請求項１３】
前記膨張弁の開度を全開にし、三方弁を動作して除霜運転を行った後は、室内温度が目標温度を上回った状態が所定の時間継続しても、三方弁を動作する制御を行わないことを特徴とする請求項９から１２のいずれか１項に記載の空気調和機。
【発明の詳細な説明】
【技術分野】
【０００１】
本発明は、室外熱交換器と四方弁との間と、四方弁と圧縮機の吸入口との間を接続するバイパス回路と、バイパス回路内に三方弁とを備えた空気調和機に関する。
【背景技術】
【０００２】
従来、ヒートポンプ式空気調和機による暖房運転時、室内温度が目標温度を上回った状態を所定の時間継続すると、圧縮機の運転を停止し（以下、サーモオフ運転と呼ぶ）室内温度が上がりすぎるのを防止していた。
【先行技術文献】
【特許文献】
【０００３】
【特許文献１】特開平２−１６９９４９号公報
【発明の概要】
【発明が解決しようとする課題】
【０００４】
しかしながら、圧縮機を停止すると、急激に室内温度が低下し、快適性を損なうばかりか、室内温度が低下した後、再度圧縮機を起動した際に、多くの消費電力を要していた。本発明は、従来技術の有するこのような問題点に鑑みてなされたものであり、暖房運転時において室内温度が目標温度を上回った状態を所定の時間継続すると、圧縮機を停止させずに、暖房運転を継続させることによって、快適な温度を維持する運転を行うことができる空気調和機を提供することを目的としている。
【課題を解決するための手段】
【０００５】
上記目的を達成するために、本発明は、暖房運転時に、圧縮機、四方弁、室内熱交換器、膨張弁、室外熱交換器、四方弁の順に冷媒が流れるように接続した冷凍サイクルと、室内温度を検出する室内温度検出手段と、目標温度を設定する目標温度設定手段と、室外熱交換器と四方弁との間と、四方弁と圧縮機の吸入口との間を接続するバイパス回路と（以下、蓄熱バイパス回路と呼ぶ）蓄熱バイパス回路内に三方弁と絞り機構を備えた空気調和機であって、室内温度検出手段が目標温度を上回った状態を所定の時間継続すると、蓄熱バイパス回路内に冷媒が流れるように三方弁の開閉動作を行う制御を行うようにしている。
【発明の効果】
【０００６】
本発明によれば、三方弁を動作し蓄熱バイパス回路に冷媒を流通する制御を行うようにすることで、サーモオフすることなく暖房運転を継続することができ、快適性を損なうことなく、効率の良い運転を継続させることができる。
【図面の簡単な説明】
【０００７】
【図１】本発明に係る蓄熱バイパス回路を備えた空気調和機の配管系統図
【図２】図１の空気調和機の通常暖房時の動作及び冷媒の流れを示す模式図
【図３】図１の空気調和機の除霜・暖房時の動作及び冷媒の流れを示す模式図
【図４】図１の空気調和機の蓄熱三方弁開時の動作及び冷媒の流れを示す模式図
【図５】蓄熱三方弁の開閉を行う制御の制御フロー図
【発明を実施するための形態】
【０００８】
第１の発明は、暖房運転時に、圧縮機、四方弁、室内熱交換器、膨張弁、室外熱交換器、四方弁の順に冷媒が流れるように接続した冷凍サイクル備えた空気調和機に関するもの
であり、室内温度を検出する室内温度検出手段と、目標温度を設定する目標温度設定手段と、室外熱交換器と四方弁との間と、四方弁と圧縮機の吸入口との間を接続する蓄熱バイパス回路と、蓄熱バイパス回路内に三方弁と絞り機構をさらに設けるとともに、室内温度が目標温度を上回った状態を所定の時間継続すると、蓄熱バイパス回路内に冷媒が流れるように三方弁を開閉動作する制御を行うようにしている。
【０００９】
この構成は、三方弁を動作する制御を行うことで、サーモオフすることなく暖房運転を継続することができ、快適性を損なうことなく、効率の良い運転を継続させることができる。
【００１０】
第２の発明は、三方弁を動作する制御を複数回行うことで、吹出し温度の急激な低下を防止することができる。
【００１１】
第３の発明は、三方弁を動作する制御の回数に上限を設けることにより、吹出し温度が下がりすぎることを防止することができる。
【００１２】
第４の発明は、三方弁を動作する制御は室内熱交換器温度に基づいて行うことで、吹出し温度を一定の温度以上に維持することができる。
【００１３】
第５の発明は、圧縮機停止中は三方弁を動作する制御を行わないことにした。このことにより、三方弁の余分な動作が防止できる。
【００１４】
第６の発明は、室外熱交換器の霜を除去する除霜運転実施中は、三方弁を動作する制御を行わないことで、確実に室外機に付着した霜を取り除くことができる。
【００１５】
第７の発明は三方弁を動作する制御が行われた後、三方弁を動作する制御を所定の時間行わないことで、過度に三方弁が動作することなく三方弁の耐久性を確保できる。
【００１６】
第８の発明は、蓄熱バイパス回路に冷媒加熱器を備え、このことにより、蓄熱バイパス回路に冷媒加熱器が無い場合に比べて、三方弁を動作する制御を行った際の吹出し温度を高温の状態に保つことができる。
【００１７】
第９の発明は、冷媒加熱器は圧縮機の熱を蓄熱する蓄熱材と、蓄熱材の内部に冷媒が流れる冷媒流路とで構成されている空気調和機に関するものであり、除霜条件が成立した場合に、膨張弁の開度を全開にし、三方弁を動作して除霜運転を行う。除霜条件が成立した場合は、室内温度が目標温度を所定の時間上回った状態であっても、膨張弁の開度を除霜運転前の状態に戻しサーモオフを回避する制御を行わないことで、除霜運転時に熱の消費を防止することができる。
【００１８】
第１０の発明は、蓄熱材温度を検出する蓄熱材温度検出手段と、をさらに備えた空気調和機に関するものであり、蓄熱材温度が所定の温度よりも低い場合は、室内温度が目標温度を所定の時間上回った状態であっても三方弁を動作する制御を行わないことで吹出し温度を高温の状態に保つことができる。
【００１９】
第１１の発明は三方弁を動作する制御を、外気温度に基づいて行われることとした。外気温度が一定温度未満である時、除霜に入る可能性が高い為、三方弁を動作する制御を行わないこととした。この構成は、蓄熱材の熱は除霜運転時に取り出すことを目的としているため、三方弁を動作する制御を行わないことで、除霜運転時に熱の消費を防止することができる。
【００２０】
第１２の発明は、三方弁を動作する制御が、室外熱交換器の温度に基づいて行われることとした。室外熱交換器の温度が一定温度未満である時、除霜に入る可能性が高い為、三方弁を動作する制御を行わないことで、除霜運転時に熱の消費を防止することができる。
【００２１】
第１３の発明は、三方弁を動作し膨張弁を開いて除霜運転を行った後は、室内温度が目標温度を所定の時間上回った状態であっても、三方弁の開閉を行わないこととした。
【００２２】
この構成は、三方弁を動作し膨張弁を開いて除霜運転を行った後も除霜に入る可能性が高い為、三方弁を動作する制御を行わないこととした。この構成は、蓄熱材の熱は除霜運転時に取り出すことを目的としているため三方弁を動作する制御を行わないことで、除霜運転時に熱の消費を防止することができる。
【００２３】
以下、本発明の実施の形態について、図面を参照しながら説明する。
【００２４】
（実施の形態１）
図１は、本発明に係る冷凍サイクル装置である空気調和機の構成を示しており、空気調和機は、冷媒配管で互いに接続された室外機１と室内機２とで構成されている。
【００２５】
図１に示されるように、室外機１の内部には、圧縮機３と四方弁４と膨張弁５と室外送風ファン６と室外熱交換器１２とが設けられ、室内機２の内部には、室内送風ファン７と室内熱交換器１１が設けられる。
【００２６】
さらに詳述すると、圧縮機３の冷媒吸入側には、液相冷媒と気相冷媒を分離するためのアキュームレータ８が設けられている。また、室外熱交換器１２と四方弁４との間には三方弁（例えば、電磁弁）２１と絞り機構２２が設けられている。
【００２７】
さらに、圧縮機３の周囲には蓄熱槽３１が設けられ、蓄熱槽３１の内部には、蓄熱熱交換器３２が設けられるとともに、蓄熱熱交換器３２と熱交換するための蓄熱材（例えば、エチレングリコール水溶液）が充填されており、蓄熱槽３１と蓄熱熱交換器３２と蓄熱材とで蓄熱装置を構成している。
【００２８】
これらは冷媒配管（番号付与しないが各部品を連結する線で図示する）を介して互いに接続されることで冷凍サイクルを構成している。
【００２９】
室内機２の内部には、室内熱交換器１１に加えて、上下羽根（図示せず）と左右羽根（図示せず）とが設けられており、室内熱交換器１１は、室内送風ファン７により室内機２の内部に吸込まれた室内空気と、室内熱交換器１１の内部を流れる冷媒との熱交換を行い、暖房時には熱交換により暖められた空気を室内に吹き出す一方、冷房時には熱交換により冷却された空気を室内に吹き出す。上下羽根は、室内機２から吹き出される空気の方向を必要に応じて上下に変更し、左右羽根は、室内機２から吹き出される空気の方向を必要に応じて左右に変更する。
【００３０】
また、室外熱交換器１２には、暖房運転時の冷媒入口温度及び冷媒出口温度をそれぞれ検出する室外熱交換器入口温度検出手段４１と室外熱交換器出口温度検出手段４２が設けられ、室内熱交換器１１には、室内熱交換器１１の温度を検出する室内熱交換器温度検出手段４３が設けられている。さらに、蓄熱槽３１には、蓄熱槽３１の温度を検出する蓄熱槽温度検出手段４４が設けられており、室外機１には、外気温度を検出する外気温度検出手段４５が設けられている。
【００３１】
なお、圧縮機３、室外送風ファン６、室内送風ファン７、上下羽根、左右羽根、四方弁
４、膨張弁５、三方弁２１、室外熱交換器入口温度検出手段４１、室外熱交換器出口温度検出手段４２、室内熱交換器温度検出手段４３、蓄熱槽温度検出手段４４、外気温度検出手段４５等はコントローラ５１（例えば、マイコン）に電気的に接続され、圧縮機３、室外送風ファン６、室内送風ファン７、上下羽根、左右羽根、四方弁４、膨張弁５の運転あるいは動作は、コントローラ５１からの制御信号に基づいて制御されるとともに、三方弁２１はコントローラ５１からの制御信号に基づいて開閉動作制御される。
【００３２】
上記構成の本発明に係る冷凍サイクル装置において、各部品の相互の接続関係と機能とを、暖房運転時の場合を例にとり冷媒の流れとともに説明する。
【００３３】
圧縮機３の吐出口から吐出された冷媒は、冷媒配管を通って四方弁４から室内熱交換器１１へと至る。室内熱交換器１１で室内空気と熱交換して凝縮した冷媒は、室内熱交換器１１を出て冷媒配管を通り、膨張弁５に至る。膨張弁５で減圧した冷媒は、冷媒配管を通って室外熱交換器１２に至り、室外熱交換器１２で室外空気と熱交換して蒸発した冷媒は、冷媒配管と四方弁４とアキュームレータ８を通って圧縮機３の吸入口へと戻る。
【００３４】
また、室外熱交換器１２と四方弁４との間に三方弁２１と絞り機構２２が設けられており、内部に蓄熱材と蓄熱熱交換器３２を収納した蓄熱槽３１は、圧縮機３に接して取り囲むように配置され、圧縮機３で発生した熱を蓄熱材に蓄積し、三方弁２１と絞り機構２２を経て蓄熱熱交換器３２の入口へと至り、蓄熱熱交換器３２の出口から出た冷媒配管は、四方弁４とアキュームレータ８の間に合流する。
【００３５】
次に、図１に示される空気調和機の通常暖房時の動作及び冷媒の流れを模式的に示す図２を参照しながら通常暖房時の動作を説明する。
【００３６】
通常暖房運転時、三方弁２１はＡ―Ｂ間が開通しておりＣは閉じている。上述したように圧縮機３の吐出口から吐出された冷媒は、冷媒配管を通って四方弁４から室内熱交換器１１に至る。室内熱交換器１１で室内空気と熱交換して凝縮した冷媒は、室内熱交換器１１を出て、冷媒配管を通り膨張弁５に至り、膨張弁５で減圧した冷媒は、冷媒配管を通って室外熱交換器１２に至る。室外熱交換器１２で室外空気と熱交換して蒸発した冷媒は、冷媒配管を通って四方弁４からアキュームレータ８を通り圧縮機３の吸入口へと戻る。
【００３７】
また、圧縮機３で発生した熱は、圧縮機３の外壁から蓄熱槽３１の外壁を介して蓄熱槽３１の内部に収容された蓄熱材に蓄積される。
【００３８】
次に、図１に示される空気調和機の除霜・暖房時の動作及び冷媒の流れを示す模式的に示す図３を参照しながら除霜・暖房時の動作を説明する。尚、図３における矢印の表記で、実線は圧縮機３から吐出され凝縮工程（高圧側）までの冷媒の流れを表し、破線は凝縮工程の後、絞り機構２２で減圧され蒸発工程（低圧側）を経て圧縮機３まで戻る冷媒の流れを表している。
【００３９】
上述した通常暖房運転中に室外熱交換器１２に着霜し、着霜した霜が成長すると、室外熱交換器１２の通風抵抗が増加して風量が減少し、室外熱交換器１２内の蒸発温度が低下する。本発明に係る冷凍サイクル装置である空気調和機には、図１に示されるように、暖房運転時における室外熱交換器１２の冷媒入口温度を検出する室外熱交換器入口温度検出手段４１が設けられており、非着霜時に比べて、蒸発温度が低下したことを室外熱交換器入口温度検出手段４１で検出すると、コントローラ５１から通常暖房運転から除霜・暖房運転への指示が出力される。
【００４０】
通常暖房運転から除霜・暖房運転に移行すると、三方弁２１が動作しＡ−Ｃ間が開通し
Ｂが閉じ、同時に膨張弁５の開度が全開となり、室外熱交換器１２には室内熱交換器１１を通過した冷媒が減圧されず流入し、室外熱交換器１２の中で冷媒は熱交換され室内熱交換器１１と同じく凝縮し液層化することになり、冷媒が凝縮する工程において外部に放出された熱量によって室外熱交換器１２に着霜した霜が除霜される。
【００４１】
また室外熱交換器１２で凝縮された冷媒は三方弁２１の中でＡ−Ｃ間を通り、絞り機構２２で減圧され液相冷媒となり、蓄熱熱交換器３２で蓄熱材から吸熱し蒸発、気相化して冷媒配管を通り、アキュームレータ８から圧縮機３の吸入口へと戻る。
【００４２】
除霜・暖房開始時に霜の付着により氷点下となった室外熱交換器１２の温度は、上記の通り、圧縮機３の吐出口から出た気相冷媒が凝縮しし液層化するによって加熱されて、零度付近で霜が融解し、霜の融解が終わると、室外熱交換器１２の温度は再び上昇し始める。この室外熱交換器１２の温度上昇を室外熱交換器出口温度検出手段４２で検出すると、除霜が完了したと判断し、コントローラ５１から除霜・暖房運転から通常暖房運転への指示が出力される。
【００４３】
図４は、図１に示される空気調和機の暖房運転時に室内温度が目標温度を上回った状態を所定の時間継続した場合に、圧縮機を停止させずに、暖房運転を継続させるため、三方弁を動作した状態における暖房時動作及び冷媒の流れを模式的に示したものであり、図５は三方弁の開閉を行う制御の制御フロー図である。
【００４４】
以下、図４及び図５を参照しながら暖房運転時の三方弁開閉制御動作を説明する。
【００４５】
暖房運転開始後、ステップＳＰ１において、圧縮機３が駆動しているかどうかを判定し、圧縮機３が駆動していれば、ステップＳＰ２へ進み、圧縮機３が駆動していなければステップＳＰ１５へ進む。
【００４６】
ステップＳＰ１から進んだステップＳＰ２において、蓄熱槽３１の温度がａ℃以上（例えば０℃）、の条件を満たしている場合、ステップＳＰ３へ進む。条件を満たしていない場合は吹出し温度が著しく低下してしまう可能性があるため、本制御を実施することなくステップＳＰ１５へ進む。
【００４７】
ステップＳＰ２から進んだステップＳＰ３において、暖房運転開始から１度も除霜運転を実施していない若しくは前回除霜運転実施からＡ分経過（例えば３６０分）している場合、ステップＳＰ４へ進み、暖房運転開始後、除霜運転を実施し、Ａ分経過していない場合は、再度除霜運転に入る事が容易に想定できる為、本来除霜に使用する為に蓄熱材に蓄えた熱を、三方弁２１を動作することで放出して除霜に使用できなくなることを避ける為、本制御を実施することなくステップＳＰ１５へ進む。
【００４８】
ステップＳＰ３から進んだステップＳＰ４において、暖房運転開始から１度も本制御を実施していない若しくは前回本制御実施からＢ分経過（例えば３０分）している場合、ステップＳＰ５へ進み、暖房運転開始後、本制御を実施し、Ｂ分経過していない場合は、ステップＳＰ１５へ進む。
【００４９】
ステップＳＰ４から進んだステップＳＰ５において、空気調和機が除霜中であった場合は、除霜運転において膨張弁５の開度を全開とする為、本制御を実施することなくステップＳＰ１５へ進み、除霜運転中でない場合はステップＳＰ６へ進む。
【００５０】
ステップＳＰ５から進んだステップＳＰ６において、外気温度がｃ℃以上（例えば−５℃）である時、ステップＳＰ７へ進み、外気温度がｃ℃未満である時、除霜に入る可能性
が高い（又は、空気調和機の室内への熱量の投入能力が過多になる可能性が低い）為、ステップＳＰ１５へ進む。
【００５１】
ステップＳＰ６から進んだステップＳＰ７において、室外熱交換器１２の温度がｄ℃以上（例えば２℃）である場合、ステップＳＰ８へ進み、室外熱交換器１２の温度がｄ℃未満である場合、除霜に入る可能性が高い為、ステップＳＰ１５へ進む。
【００５２】
ステップＳＰ８において、室内温度から設定温度を引いた値がｅ℃以上（例えば２℃）であり、室内温度から設定温度を引いた値がｅ℃以上である状態をＣ秒以上（例えば９０秒）維持した場合、室内への熱量の投入が過多であると判断し、ステップＳＰ９へ進み、室内温度から設定温度を引いた値がｅ℃未満又は、室内温度から設定温度を引いた値がｄ℃以上の状態をＣ秒以上維持していない場合はステップＳＰ１５へ進む。
【００５３】
ステップＳＰ８から進んだステップＳＰ９において、室内熱交換器１１の温度がｆ℃以上（例えば４０℃以上）である時、本制御の実施を許可しＳＰ１０へ進み本制御を開始する。室内熱交換器１１の温度がｆ℃未満である時、ステップＳＰ１５へ進む。
【００５４】
ステップＳＰ８から進んだステップＳＰ９において開始された本制御は、ステップＳＰ１０において三方弁２１が動作しＡ−Ｃ間が開通し、Ａ−Ｂが閉塞する。Ａ−Ｃ間の開通がＤ秒間（例えば３秒）行われ、その後、ステップＳＰ１１において三方弁２１が動作しＡ−Ｂ間が開通し、Ａ−Ｃが閉塞する。
【００５５】
ステップＳＰ１２において、ステップＳＰ１１で三方弁２１が動作しＡ−Ｂ間が開通したＥ秒（例えば２０秒）経過後、三方弁２１のＡ−Ｂ間が開通した状態で、室内熱交換器１１の温度がｆ℃以上であるかどうかを再度判定し、室内熱交換器１１の温度がｆ℃以上である場合はステップＳＰ１３へ進み、室内熱交換器１１の温度がｆ℃未満の場合はステップＳＰ１４へ進み、本制御を終了する。
【００５６】
ステップＳＰ１３において、三方弁２１を動作する回数が、本制御の最大回数Ｆ回（例えば３回）に到達した場合は、ステップＳＰ１４へ進み本制御を終了しステップＳＰ１５へ進み、三方弁２１を開く動作が本制御の最大回数Ｆ回に到達していない場合は、ステップＳＰ１０へ戻り、再度、三方弁２１を動作する。
【００５７】
ステップＳＰ１５において、運転停止が選択されていなければ、運転を継続し、ステップＳＰ１へ戻り、運転が停止されていた場合は、運転を停止する。
【００５８】
以上の制御を実施することにより、ステップＳＰ９以降の本制御時において、三方弁２１が動作しＡ−Ｃ間が開通すると、室外熱交換器１２の中で液冷媒は蒸発し気化した後、三方弁２１のＡ−Ｃ間を通り、絞り機構２２にて更に減圧され低圧化した気相冷媒となり蓄熱熱交換器３２に至る。冷媒は、蓄熱槽３１の中に充填され圧縮機３の放熱した熱量を蓄えた蓄熱材と熱交換し吸熱するが、気相であるため温度的には上昇するものの相が変化することはなく、蓄熱熱交換器３２を通過することによることで、生じる圧力損失により、更に低圧化されアキュームレータ８を介して圧縮機３に戻ることになる。
【００５９】
この結果、制御中の圧縮機３の吐出圧力は、通常暖房運転時より低下し、一時的に室内熱交換器１１の飽和圧力（高圧）が低下する。この作用によってサーモオフを行わず暖房運転を継続することが可能となる。
【産業上の利用可能性】
【００６０】
本発明に係る空気調和機は蓄熱バイパス回路と三方弁を用いてサーモオフ運転を行わず
に暖房運転を持続可能にするので、冬季にサーモオフ運転を行う他の冷凍サイクル装置にも有効利用することができる。
【符号の説明】
【００６１】
１  室外機
２  室内機
３  圧縮機
４  四方弁
５  膨張弁
６  室外送風ファン
７  室内送風ファン
８  アキュームレータ
１１  室内熱交換器
１２  室外熱交換器
２１  三方弁
２２  絞り機構
３１  蓄熱槽
３２  蓄熱熱交換器
４１  室外熱交換器入口温度検出手段
４２  室外熱交換器出口温度検出手段
４３  室内熱交換器温度検出手段
４４  蓄熱槽温度検出手段
４５  外気温度検出手段
５１  コントローラ、
【図１】
2014031954.tif 000003
【図２】
2014031954.tif 000004
【図３】
2014031954.tif 000005
【図４】
2014031954.tif 000006
【図５】
2014031954.tif 000007